(57)【要約】【課題】容易に組み付けでき、安定したクリック感を得ることができるようにする。【解決手段】正面側キャビネット３のスイッチ用貫通孔１３に対応して内部に押圧型スイッチ１１を配置して押し子１４の軸方向一端側で押圧するように構成し、この押し子１４の軸方向他端側に押し子１４の軸方向他端の面積よりも面積の広いキー側当接部１６ｂを有するキートップ１６を設ける。押し子１４の軸方向中間外周にスイッチ用貫通孔１３周縁に嵌合されるキーパッキン１５を接合し、押し子１４の軸方向他端側にキートップ１６に押圧されるリング部材１７を装着する。【選択図】図１
2015125870.tif 000002
【特許請求の範囲】
【請求項１】
電子機器の押しボタンスイッチ構造において、
電子機器本体に形成されたスイッチ用貫通孔と、
上記電子機器本体の内部に上記スイッチ用貫通孔に対応して配置された押圧型スイッチと、
軸方向一端側で上記押圧型スイッチを押圧する押し子と、
上記押し子の軸方向他端側に配置され、該押し子の軸方向他端の面積よりも面積の広いキー側当接部を有するキートップと、
上記押し子の軸方向中間外周に接合した状態で、上記スイッチ用貫通孔周縁に嵌合されるキーパッキンと、
上記押し子の軸方向他端側外周に装着され、上記キー側当接部に押圧されるリング部材と、
を備えることを特徴とする押しボタンスイッチ構造。
【請求項２】
請求項１に記載の押しボタンスイッチ構造において、
上記キートップのキー側当接部と上記リング部材との間には、板状の弾性部材が介在している
ことを特徴とする押しボタンスイッチ構造。
【請求項３】
請求項１又は２に記載の押しボタンスイッチ構造において、
上記押し子は、断面円形であり、
上記リング部材は、上記押し子に嵌め込まれる円形の貫通孔及び該貫通孔周縁よりも膨出して上記キー側当接部が当接する円環状当接部を有し、
上記キー側当接部は矩形状であり、該キー側当接部の長手方向中央に上記押し子の軸方向他端が当接するように配置されている
ことを特徴とする押しボタンスイッチ構造。
【請求項４】
請求項１乃至３のいずれか１つに記載の押しボタンスイッチ構造を備えた電子機器において、
上記キートップが内側から嵌め込まれるキー用貫通孔が形成されて上記電子機器本体を外側から覆う外側キャビネットを備え、
上記リング部材の外周には、面取り又は傾斜面が形成され、
上記キートップを上記キー用貫通孔に嵌め込んだ状態で、上記外側キャビネットを上記電子機器本体に嵌合可能に構成されている
ことを特徴とする電子機器。
【請求項５】
請求項４に記載の電子機器において、
上記キー側当接部は、上記面取り又は傾斜面に合わせて傾斜している
ことを特徴とする電子機器。
【発明の詳細な説明】
【技術分野】
【０００１】
本発明は、携帯電話機などの電子機器に使用される押しボタンスイッチ構造及びそれを備えた電子機器に関するものである。
【背景技術】
【０００２】
従来より、電子機器本体に形成されたスイッチ用貫通孔と、電子機器本体内部にスイッチ用貫通孔に対応して配置された押圧型スイッチと、軸方向一端側で押圧型スイッチを押圧する押し子と、押し子の軸方向他端側に配置され、スイッチ用貫通孔から露出するキートップと、押し子の軸方向中間外周に接合した状態で、スイッチ用貫通孔周縁に嵌合されるキーパッキンとを備えた防水構造の押しボタンスイッチ構造は知られている（例えば、特許文献１参照）。
【先行技術文献】
【特許文献】
【０００３】
【特許文献１】特許４８８１４６５号公報
【発明の概要】
【発明が解決しようとする課題】
【０００４】
しかしながら、上記特許文献１のような押しボタンスイッチ構造では、キートップと押し子とが結合されていることからキートップの押圧力を押し子に伝えやすいが、組付性という面で改善の余地がある。
【０００５】
そこで、組付性を向上させるために、キートップと押し子とを結合しないで別々に組み付けられるようにすると、通常、インサート成形等の都合により、押し子の軸方向他端側の断面積がキートップの押し子側の面積に比べて狭いので、キートップに加わった力を押し子に伝え難く、適切なクリック感が得られないという問題がある。
【０００６】
本発明は、かかる点に鑑みてなされたものであり、その目的とするところは、押しボタンスイッチ構造を容易に組付できると共に、安定したクリック感を得ることができるものにすることにある。
【課題を解決するための手段】
【０００７】
上記の目的を達成するために、この発明では、押し子の軸方向他端側外周にリング部材を設けてキートップに当接させるようにした。
【０００８】
具体的には、第１の発明では、電子機器の押しボタンスイッチ構造を前提とし、
上記押しボタンスイッチ構造は、
電子機器本体に形成されたスイッチ用貫通孔と、
上記電子機器本体の内部に上記スイッチ用貫通孔に対応して配置された押圧型スイッチと、
軸方向一端側で上記押圧型スイッチを押圧する押し子と、
上記押し子の軸方向他端側外周に配置され、該押し子の軸方向他端の面積よりも面積の広いキー側当接部を有するキートップと、
上記押し子の軸方向中間外周に接合した状態で、上記スイッチ用貫通孔周縁に嵌合されるキーパッキンと、
上記押し子の軸方向他端側外周に装着され、上記キー側当接部に押圧されるリング部材と、
を備える構成とする。
【０００９】
通常、押圧型スイッチの押圧部の面積が小さく、それに合わせて押し子の軸方向他端側の面積も小さいことが多いが、上記の構成によると、押し子の軸方向他端側外周にリング部材が装着され、このリング部材がキートップに押圧されるようにしているので、面積の狭い押し子の軸方向他端側のみを押圧する場合に比べてキートップのクリック感が格段に向上する。また、キートップと押し子とを結合させる必要がないので、これらを別々に組み付けでき、組付が容易となる。
【発明の効果】
【００１０】
以上説明したように、本発明によれば、キーパッキンを軸方向中間外周に接合した押し子の軸方向他端側にキートップに押圧されるリング部材を設けたので、容易に組み付けでき、安定したクリック感を得ることができる。
【００１１】
また、そのような押しボタンスイッチ構造を備えることにより、電子機器を組付性がよくて商品性の高いものとすることができる。
【図面の簡単な説明】
【００１２】
【図１】図２のＩ−Ｉ線拡大断面図であり、（ａ）が組付時を示し、（ｂ）が組付後を示す。
【図２】本発明の実施形態に係る携帯電話機及びその一部を拡大して示す斜視図である。
【図３】携帯電話機の分解斜視図である。
【図４】リアカバー及び外側キャビネットを外した状態の押しボタンスイッチ構造及びその周辺を拡大して示す斜視図である。
【図５】押しボタンスイッチ構造を拡大して示し、（ａ）が斜視図で、（ｂ）が正面図である。
【図６】本発明の実施形態の変形例１に係る図１相当図である。
【図７】本発明の実施形態の変形例２に係る図１相当図である。
【発明を実施するための形態】
【００１３】
以下、本発明の実施形態を図面に基づいて説明する。
【００１４】
−押しボタンスイッチ構造−
図１〜図３は本発明の実施形態に係る押しボタンスイッチ構造１０を備えた電子機器としての携帯電話機１（スマートフォン）を示す。携帯電話機１は、正面側に表示部２が嵌め込まれた電子機器本体としての正面側キャビネット３を有し、その背面側が背面側キャビネット４で覆われ、その外側が外側キャビネットとしてのリアカバー５で覆われている。例えば、これら正面側キャビネット３、背面側キャビネット４及びリアカバー５は、樹脂成形品よりなる。
【００１５】
表示部２の裏側には、例えば矩形板状の充電池６が収容され、その外側にメイン基板７が収容されている。このメイン基板７の上側には、このメイン基板７に接続されるサブ基板８が設けられている。
【００１６】
そして、図４及び図５に示すように、本発明の押しボタンスイッチ構造１０は、サブ基板８に設けられた押圧型スイッチ１１を備えている。押圧型スイッチ１１は、サブ基板８のフレキシブル基板８ａに貼り付けられ、例えば硬質樹脂製のホルダー部１２で支えられて正面側キャビネット３に嵌め込まれている。
【００１７】
押圧型スイッチ１１に対応させて正面側キャビネット３には、円形状のスイッチ用貫通孔１３が形成されている。このスイッチ用貫通孔１３が形成された正面側キャビネット３の外周面の背面側には、背面側キャビネット４との間で防水するための防水パッキン９が挟み込まれている。
【００１８】
スイッチ用貫通孔１３内には、軸方向一端側で押圧型スイッチ１１を押圧する押し子１４が配置されている。実際には、例えば断面円形の押し子１４の軸方向中間は、外径が大きくなった大径部１４ａを有し、その外周には、シリコーンゴム、エラストマー、天然ゴムなどで構成されるキーパッキン１５が接合され、このキーパッキン１５ごとスイッチ用貫通孔１３周縁に嵌合されている。このキーパッキン１５には、例えばステンレス合金、樹脂等よりなる補強板１５ａがインサート成形されている。なお、押し子１４をキーパッキン１５にインサート成形する場合、その抜き勾配の関係で大径部１４ａから端側は、大径部１４ａよりも小径となっている。
【００１９】
押し子１４の軸方向他端側には、スイッチ用貫通孔１３よりも外方に配置され、リアカバー５に形成した例えば長円形のキー用貫通孔５ａから露出するキートップ１６が設けられている。本実施形態では、キートップ１６は、押し子１４とは連結されておらず、そのフランジ部１６ａによってキー用貫通孔５ａから抜け出さないようになっている。キートップ１６の内面側には、押し子１４の軸方向他端の円形の面積よりも面積が広い例えば略矩形状の平坦なキー側当接部１６ｂが形成されている。本実施形態では、図１に示すように、キートップ１６は、携帯電話機１の上下方向に長い形状であり、キー側当接部１６ｂの長手方向中央に押し子１４の軸方向他端が位置するように構成されている。
【００２０】
そして、押し子１４の軸方向他端側には、リング部材１７が装着されている。リング部材１７は、押し子１４に嵌め込まれ、大径部１４ａに周縁が当接する円形の貫通孔１７ａ及びこの貫通孔１７ａの周縁よりも膨出してキートップ１６が当接する円環状当接部１７ｂを有する。リング部材１７は、例えば樹脂成形品よりなり、外周全体がＣ面取りされている。押し子１４は、端側が大径部１４ａに比べて小径なので、リング部材１７を挿入しやすい。例えば、リング部材１７は、押し子１４に対して圧入されていてもよいし、接着されていてもよい。
【００２１】
キートップ１６のキー側当接部１６ｂとリング部材１７の円環状当接部１７ｂとの間には、例えば、矩形板状の弾性部材としてのゴムシート１８が介在している
次いで、この押しボタンスイッチ構造１０を携帯電話機１に組み付ける手順について説明する。
【００２２】
まず、図１（ａ）に示すように、キートップ１６のキー側当接部１６ｂに両面テープ等により、ゴムシート１８を貼り付けておく。
【００２３】
次いで、このキートップ１６をキー用貫通孔５ａの内側からそのフランジ部１６ａがキー用貫通孔５ａの周縁に当接するように嵌め込む。
【００２４】
次いで、背面側キャビネット４の背面側からリアカバー５を嵌合させる。このとき、リング部材１７の外周に面取りが設けられているので、キートップ１６を内側からキー用貫通孔５ａに嵌め込んだ状態でもゴムシート１８が引っかからず、図１（ｂ）に示すように、リアカバー５を正面側キャビネット３に嵌合できる。本実施形態では、キートップ１６と押し子１４とを結合させる必要がなく、これらを別々に組み付けできるので、容易に組付が行われる。
【００２５】
通常、押圧型スイッチ１１のクリック感を生じさせる押圧部の面積が小さく、それに合わせて押し子１４の軸方向他端側の面積も小さいことが多いが、本実施形態では、押し子１４の外周にリング部材１７が装着され、このリング部材１７がキートップ１６に押圧されるようにしているので、キートップ１６が上下方向に長い長円形であっても、面積の狭い押し子１４の軸方向他端側のみを押圧する場合に比べてキートップ１６のクリック感が格段に向上する。
【００２６】
また、キートップ１６は、外観及び耐久性から硬質の材料で成形されることが多いが、ゴムシート１８を介してリング部材１７を押圧するようにしているので、キートップ１６を押圧したときに硬すぎず、また、キートップ１６とリング部材１７とが滑ることもない。
【００２７】
また、断面円形の押し子１４の外周をリング部材１７が確実に包み込み、キートップ１６に加わった力を確実に伝達することができる。
【００２８】
したがって、本実施形態によれば、キーパッキン１５が軸方向中間外周に接合された押し子１４の軸方向他端側にキートップ１６に押圧されるリング部材１７を設けたので、容易に組み付けでき、安定したクリック感を得ることができる。
【００２９】
また、そのような押しボタンスイッチ構造１０を備えることにより、携帯電話機１を組付性がよくて商品性の高いものとすることができる。
【００３０】
−変形例１−
図６は本発明の実施形態の変形例を示し、リング部材１７及びキートップ１６の形状が異なる点で上記実施形態と異なる。なお、以下の各変形例では、図１〜図５と同じ部分については同じ符号を付してその詳細な説明は省略する。
【００３１】
本変形例のリング部材１７の円環状当接部１７ｂは、キートップ１６側が背面に向かって内側へ傾斜している。それに合わせてキートップ１６のキー側当接部１６ｂは、正面側に向かって外側へ傾斜している。
【００３２】
このように構成によると、図６（ａ）に示すように、組付時にゴムシート１８がリング部材１７に引っかからず、滑らかに組み付けられる。
【００３３】
そして、このように組付性向上にするためにリング部材１７に傾斜面が設けられていても、それに合わせてキートップ１６の形状が傾斜しているので、キートップ１６に加わった力を確実に押し子１４に伝達できる。
【００３４】
−変形例２−
図７は本発明の実施形態の変形例を示し、キー用貫通孔５ａの位置が異なる点で上記実施形態と異なる。
【００３５】
すなわち、本変形例では、キートップ１６がリアカバー５と正面側キャビネット３との分割面（嵌合面）１９に設けられている。キー用貫通孔５ａは、リアカバー５の外周縁に切欠状に設けられている。
【００３６】
この場合、キートップ１６を正面側キャビネット３に嵌め込んで仮固定しておき、リアカバー５で挟み込んでフランジ部１６ａを抜け止めする。
【００３７】
なお、本変形例では、リアカバー５でキートップ１６を挟み込むようにしているが、背面側キャビネット４で挟み込むようにしてもよい。
【００３８】
（その他の実施形態）
本発明は、上記実施形態について、以下のような構成としてもよい。
【００３９】
すなわち、上記実施形態では、押し子１４の押圧型スイッチ１１側はシリコーンゴムで覆わなかったが、シリコーンゴムで覆い、このシリコーンゴムが押圧型スイッチ１１を押圧するようにしてもよい。この場合、シリコーンゴムによって押圧型スイッチ１１を押圧するので、押圧型スイッチ１１が損傷し難くなって耐久性を向上させることができる。
【００４０】
上記実施形態では、電子機器は、携帯電話機１としたが、ＰＨＳ（Personal Handy-phone System）、ＰＤＡ(Personal Digital Assistant)、パソコン、モバイルツール、電子辞書、電卓、ゲーム機、時計等であってもよい。電子機器は、必ずしも防水機能を有する必要はなく、本発明により、すぐれた組付性及び防塵機能を発揮する。
【００４１】
なお、以上の実施形態は、本質的に好ましい例示であって、本発明、その適用物や用途の範囲を制限することを意図するものではない。
【符号の説明】
【００４２】
１      携帯電話機（電子機器）
２      表示部
３      正面側キャビネット（電子機器本体）
４      背面側キャビネット
５      リアカバー（外側キャビネット）
５ａ    キー用貫通孔
６      充電池
７      メイン基板
８      サブ基板
９      防水パッキン
１０      押しボタンスイッチ構造
１１      押圧型スイッチ
１２      ホルダー部
１３      スイッチ用貫通孔
１４      押し子
１５      キーパッキン
１５ａ    補強板
１６      キートップ
１６ａ    フランジ部
１６ｂ    キー側当接部
１７      リング部材
１７ａ    貫通孔
１７ｂ    円環状当接部
１８      ゴムシート（板状の弾性部材）
１９      分割面
【図１】
2015125870.tif 000003
【図２】
2015125870.tif 000004
【図３】
2015125870.tif 000005
【図４】
2015125870.tif 000006
【図５】
2015125870.tif 000007
【図６】
2015125870.tif 000008
【図７】
2015125870.tif 000009